(57)【要約】【課題】  キーボードやノートＰＣといった載置物を載置する載置ユニットであって、載置物の載置を受ける載置部材の回動角度を操作性良く調整する。【解決手段】  載置物の載置を受ける載置部材１０、その載置部材１０にヒンジ部材で接続された支持部材、および、載置部材１０の回動中心を留具４１で回動自在に支持する第１の支持部と、載置部材１０と支持部材を留具４２で回動不能に支持する第２の支持部とを有する支持機構とを具備する。【選択図】        図１
2012164105.tif 000002
【特許請求の範囲】
【請求項１】
載置物の載置を受ける載置部材と、
前記載置部材の回動を支持する支持部材と、
前記載置部材を前記支持部材に対し回動自在に、該載置部材と該支持部材とを繋ぐヒンジ部材と、
前記載置部材の回動中心を回動自在に支持する第１の支持部と、該載置部材と前記支持部材を回動不能に支持する第２の支持部とを有する支持機構とを具備することを特徴とする載置ユニット。
【請求項２】
前記ヒンジ部材が、前記載置部材を前記支持部材に対する任意の回動姿勢にフリクションで支持する部材であることを特徴とする請求項１記載の載置ユニット。
【請求項３】
前記載置部材が、載置物の載置を受ける天板を有し、
前記第２の支持部が、前記天板の第１面が第２面よりも上方を向いた第１の姿勢において該載置部材と前記支持部材を回動不能かつ支持解除自在に支持し、かつ該載置部材を、該第１の姿勢から、前記第２面が前記第１面よりも上方を向いた第２の姿勢にまで回動させたときの該第２の姿勢においても該載置部材と前記支持部材を回動不能かつ支持解除自在に支持するものであることを特徴とする請求項１又は２記載の載置ユニット。
【請求項４】
前記載置部材が、載置物の載置を受ける天板と左右一対の側板とを有し、該左右一対の側板それぞれが、互いに同一の一本の軸上に形成された第１の穴と、該第１の穴を中心にした円弧状の長穴に形成され、又は該円弧上に配列された第２の穴とを有する部材であり、
前記支持部材が、前記左右一対の側板それぞれの内側に配置され前記第２の穴と連通する第３の穴が形成された部材であり、
前記ヒンジ部材が、前記載置部材を前記支持部材に対し前記一本の水平軸の回りに回動自在に該載置部材と該支持部材とを繋ぐ部材であって、
前記支持機構が、
前記左右一対の側板それぞれの外側に立設する立設部材と、
前記立設部材に支持され前記第１の穴に挿入されることにより、前記載置部材を回動自在に前記立設部材に支持させる第１の留具と、
前記立設部材に支持され前記第２の穴と前記第３の穴との双方に挿入されることにより、前記載置部材および前記支持部材を回動不能に前記立設部材に支持させる第２の留具とを有することを特徴とする請求項１から３のうちいずれか１項記載の載置ユニット。
【請求項５】
前記立設部材が、前記第１の穴と前記第２の穴との間の距離の整数分の１のピッチであって順次異なる高さ位置に形成され前記第１の留具と前記第２の留具のいずれをも支持可能な複数の突部を有し、
前記第１の留具および前記第２の留具が、前記複数の突部のうち、互いに前記距離だけ離れた任意の２つの突部にそれぞれ支持されるものであることを特徴とする請求項４記載の載置ユニット。
【請求項６】
前記複数の突部それぞれが前方に延びさらに上方に曲がった鉤形状を有し、該複数の突部が、上下方向かつ上方ほど後方に下がった各位置に配列されていることを特徴とする請求項５記載の載置ユニット。
【請求項７】
前記天板の第１面が第２面よりも上方を向いた第１の姿勢において前記第２の穴が前記第３の穴に連通し、前記載置部材を、該第１の姿勢から、前記第２面が前記第１面よりも上方を向いた第２の姿勢に回動させても前記第２の穴が前記第３の穴に連通するように、前記第２の穴が、前記第１の穴を円弧状に取り巻く長穴に形成され、又は該第１の穴を取り巻く円弧上に配列されていることを特徴とする請求項４から６のうちいずれか１項記載の載置ユニット。
【発明の詳細な説明】
【技術分野】
【０００１】
本件は、キーボードやノート型パーソナルコンピュータ（以下、「ノートＰＣ」と略記する）等の載置物が載せられてその載置物を支持する載置ユニットに関する。
【背景技術】
【０００２】
キーボードやノートＰＣは、操作性向上のため、そのユーザに適した高さや角度に調整された載置台の上に載せることが好ましい。ここで、その載置台に要求されることの１つとして、キーボードやノートＰＣをそのユーザに適合した高さや角度に容易に調整可能であり、かつ、調整後はその高さや角度が安定的に維持されることである。
【０００３】
ここで従来、角度調整機構を備えた足場用の出入り階段が提案されている。しかしながら、この提案の角度調整機構は、階段を水平に設置するための角度調整機構であり、この技術思想を取り入れてもキーボードやノートＰＣを所望の角度に調整することはできない。
【０００４】
また、従来、高さ調整機構を備えた親綱支持具が提案されている。しかしながら、この提案を取り入れても、キーボードやノートＰＣを所望の角度に調整することは不可能である。
【０００５】
さらに従来、机の上に棚を備えた構造を有し、机や棚の高さや棚の傾き角度を調整する構造を備えたコンピュータなどのための操作台が提案されている。
【０００６】
しかしながらこの構造は、高さや傾き角度を設置時に決める構造であって、設置後において高さや傾き角度を簡易に調整するのは困難である。
【先行技術文献】
【特許文献】
【０００７】
【特許文献１】実開平６−４４９５２号公報
【特許文献２】特開平１０−１５０９３号公報
【特許文献３】特開昭５９−０７５３２６号公報
【発明の概要】
【発明が解決しようとする課題】
【０００８】
本件開示の載置ユニットの課題は、載置物の載置角度を操作性良く調整することのできる載置ユニットを提供することにある。
【課題を解決するための手段】
【０００９】
本件開示の載置ユニットは、載置物の載置を受ける載置部材と、載置部材の回動を支持する支持部材と、載置部材を支持部材に対し回動自在に、載置部材と支持部材とを繋ぐヒンジ部材とを有する。本件開示の載置ユニットはさらに、載置部材の回動中心を回動自在に支持する第１の支持部と、その載置部材と支持部材を回動不能に支持する第２の支持部とを有する支持機構を具備している。
【発明の効果】
【００１０】
本件開示の載置ユニットは、上記の支持機構を有するものである。このため、載置部材と支持部材を回動不能に支持する第２の支持部の支持機構を解除しておいて、載置部材を回動させることにより、載置部材の角度を操作性良く調整することができる。また調整後に、第２の支持部を再び作用させて、載置部材と支持部材を回動不能に支持することにより、載置部材がその調整後の角度に安定的に維持される。
【図面の簡単な説明】
【００１１】
【図１】第１実施形態の載置ユニットの外観斜視図である。
【図２】図１に示す載置ユニットの部分拡大斜視図である。
【図３】右側のスタンドの斜視図である。
【図４】側板の内側を示した部分斜視図である。
【図５】第２実施形態の載置ユニットの側板を中心に示した部分斜視図である。
【図６】第２実施形態の載置ユニットの天板の裏面が上に向くように回転させた状態を示した部分斜視図である。
【図７】側板の内側を示した部分斜視図である。
【図８】側板の内側の部分の拡大斜視図である。
【図９】天板拡張部品を用いた使用例を示した図である。
【図１０】載置ユニットを２段構成にした例を示した図である。
【図１１】２段構成の載置スタンドの使用例を示した図である。
【発明を実施するための形態】
【００１２】
以下、実施形態を説明する。
【００１３】
図１は、第１実施形態の載置ユニットの外観斜視図である。また図２は、図１に示す載置ユニットの部分拡大斜視図である。
【００１４】
図１，図２には、この載置ユニット１を構成する載置部材１０と支持機構４０があらわれている。支持機構４０は、載置部材１０の左右に配備されており、この図１，図２に示されている支持機構４０はそれら左右の支持機構のうちの右側の支持機構である。左右の支持機構は、互いに左右対称に構成されている。
【００１５】
載置部材１０は、天板１１と側板１２を有する。側板１２は天板１１の左右両側に有るが、ここでは、右側の側板１２のみ示されている。左右の側板１２も、左右の支持機構４０と同様、互いに左右対称に構成されている。
【００１６】
天板１１は、キーボードやノートＰＣの載置を受ける板である。この載置ユニット１は、この天板１１を所望の傾き角度に調整し、その調整された傾き角度に安定的に維持するためのものである。
【００１７】
本実施形態の天板１１には、段差１１１が設けられている。この段差１１１は、キーボードやノートＰＣの前側の辺を当ててそれらが滑り落ちるのを防止するためのものである。この段差１１１は、後述するように天板１１の拡張のためにも利用される。
【００１８】
また、この天板１１には、穴１１２が形成されている。この穴１１２は、電源コードや配線等を通すことにより、それらがばらばらにならないように整理するためのものである。
【００１９】
ここで、キーボードには、その底面に、キーボードを少し手前側に傾けるための突起が設けられているものがある。この図１に示す載置ユニット１は天板１１自体の角度を自在に調整することができるため、この天板１１にキーボードを載せる場合、キーボード底面の突起は用を成さず、かえって邪魔になることがある。この図１に示す天板１１に設けられた穴１１２は、天板１１にキーボードを載せた場合の、キーボード底面の突起を入り込ませるためにも利用される。
【００２０】
また、側板１２には、天板１１の傾き角度を調整するときの回動中心にねじ穴１２１（図４参照）が形成され、さらにそのねじ穴１２１を中心とした円弧状の長穴１２２が形成されている。尚、側板１２は、この実施形態では、天板１１の側面に貼り付けた構造を有するが、この側板１２は、天板１１の側面と一体的に同一面に形成されていてもよく、天板１１の側面自体を側板１２として利用してもよい。
【００２１】
この側板１２のねじ穴１２１には、支持機構４０を構成する棒状の留具４１が差し込まれており、長穴１２２には、もう１つの留具４２が差し込まれている。本実施形態では、これらの留具４１，４２として雄ねじが採用されている。ねじ穴１２１に差し込まれている留具４１は、天板１１の高さ調整の際および角度調整の際にも特に抜き差しする必要はない。そのため、その留具４１のねじ頭は工具を使って回す構造となっている。一方、長穴１２２に差し込まれている留具４２は、天板１１の高さ調整や角度調節の際に一旦緩める必要があり、操作のし易さのために、つまみ４２１が設けられている。これらの留具４１，４２はスタンド４３に支持されている。尚、留具４１としてピンを採用し、ねじ穴１２１をピン穴として、抜き差し可能な構造としてもよい。
【００２２】
図３は、右側のスタンドの斜視図である。
【００２３】
このスタンド４３は、基台４３１と、その基台４３１上に立設した立設板４３２とを有する。立設板４３２は、側板１２（図１，図２参照）の外側に立設し、その側板１２に設けられたねじ穴１２１と長穴１２２に差し込まれた留具４１，４２を支持する支持部４３３を有する。この支持部４３３は、複数の突部４３４から形成されている。各突部４３４は、前方に延びさらに上方に曲がり、いずれの留具４１，４２も支持可能な鉤形状を有する。また、これら複数の突部４３４は、側板１２に設けられたねじ穴１２１と長穴１２２との間の距離の整数分の１（ここに示す実施形態では２分の１）のピッチであって、順次異なる高さ位置に形成され、かつ上方ほど後方に下がった斜めに配列されている。
【００２４】
図１，図２は、鉤形状の複数の突部４３４のうちの最上段の突部に留具４１が支持されてその留具４１が側板１２のねじ穴１２１に螺入し、上から３番目の突部に留具４２が支持されてこの留具４１が側板１２の長穴１２２に差し込まれている。２つの留具４１，４２を立設板４３２のどの突部４３４に支持させるかにより、天板１１の高さを、その突部４３４の配列ピッチの高さずつ段階的に調整することができる。ここで、複数の突部４３４は、上方ほど後ろに下がって配列されている。これら複数の突部４３４が、仮に、上方ほど前に突出するように配列されていると、上段の突起やその突起に支持されている留具４１が下段の突起を覆い隠してしまい天板１１の高さを変更するときの操作性の悪化を招く。本実施形態の場合、複数の突起４３４は、上方ほど後ろに下がって配列されているため、高さ調節時に良好な視界が確保され、天板１１の高さを操作性良く調整することができる。
【００２５】
図４は、側板の内側を示した部分斜視図である。
【００２６】
側板１２の内側には、支持部材２０と、ヒンジ部材３０が配置されている。この図４には、天板１１の右側の支持部材２０とヒンジ部材３０のみ示されているが、これら支持部材２０とヒンジ部材３０も天板１１の左右両側に配置され、互いに左右対称に構成されている。
【００２７】
支持部材２０は、側板１２の内側に沿うアーム２１と、天板１１の左右に配置されているアーム２１どうしを繋ぐ支持バー２２とを有する。アーム２１には、側板１２の長穴１２２と連通する位置にねじ穴２１１が形成されている。長穴１２２に差し込まれた留具４２は、アーム２１のねじ穴２１１に螺入している。このアーム２１は、側板１２の内側の面１２ａに接触しており、留具４２を緩めた場合であってもアーム２１と側板１２との間に摩擦を生じる構造になっている。
【００２８】
ヒンジ部材３０は、支持バー２２と天板１１の裏面とをヒンジ接続している。このヒンジ部材３０は、内側の回転軸３１と外側の軸受け３２が同芯に構成され、その回動軸３１が、左右の側板１２に設けられた左右のねじ穴１２１どうしを結ぶ一本の直線と一致するように配置されている。このヒンジ部材３０は、内側の回転軸３１が天板１１の裏面にねじ止めされ、外側の軸受け３２が支持バー２２にねじ止めされている。したがって天板１１は、左右の側板１２のねじ穴１２１を結ぶ線を中心にして回動自在となっている。すなわち、留具４１は、立設板４３２の突部４３４に支持され、側板１２のねじ穴１２１に螺入して天板１１を回動自在に立設板４３２に支持させている。
【００２９】
このヒンジ部材３０は、回転軸３１と軸受け３２との間にフリクションが作用し、このため、天板１１は任意の角度に傾けた状態でそのフリクションで静止する。したがって、天板１１の上にキーボードやノートＰＣを載せた状態においてつまみ４２１を操作して留具４２を緩めても、アーム２１と側板１２との間に作用する摩擦力と相俟って、天板１１がいきなり大きく傾くことが防止され、安全性、操作性が確保されている。留具４２は、立設板４３２の突部４３４に支持され、側板１２の長穴１２２に挿入されて支持部材２０のアーム２１のねじ穴２１１に締付される。留具４２は、この締付により、載置部材１０と支持部材２０を回動不能に立設板４３２に支持させている。
【００３０】
この実施形態の載置ユニット１の天板１１の高さを調整するにあたっては、天板１１の左右にある２つのつまみ４２１を緩め、左右２つずつの留具４１，４２を、立設板４０の複数の突部４３４のうちの別の高さの突部４３４に支持させて左右のつまみ４２１を締め付ける。また、天板１１の傾きを調整するにあたっては、やはり左右のつまみ４２１を緩め、天板１１の傾き角度を調節して左右のつまみ４２１を締め付ける。
【００３１】
本実施形態の載置ユニット１の場合、このような簡単な操作で天板１１の高さ調節および傾き角度調整を行なうことができる。
【００３２】
尚、この第１実施形態では、側板１２に、ねじ穴１２１を中心とした円弧状の長穴１２２が設けられているが、長穴１２２に代えて、ねじ穴１２１を中心として円弧上に並ぶ複数の丸穴が形成されていてもよい。円弧状の長穴１２２の場合、天板１１の傾き角度は無段階的に調節されるが、丸穴の場合、天板１１の傾き角度は、その丸穴のピッチに応じて段階的に調節される。また、丸穴の場合、この傾き角度の調節にあたっては、留具４２が一旦抜き取られ、別の丸穴に再度差し込まれる。
【００３３】
次に第２実施形態を説明する。この第２実施形態の説明にあたり、前述の第１実施形態の構成要素と同一の構成要素には、第１実施形態の図面である図１〜図４と同一の符号を付して示し、第１実施形態との相違点について説明する。
【００３４】
図５は、第２実施形態の載置ユニットの側板を中心に示した部分斜視図である。また図６は、その第２実施形態の載置ユニットの天板の裏面が上に向くように回転させた状態を示した、部分斜視図である。
【００３５】
第２実施形態の載置ユニット１Ａの載置部材１０Ａは天板１１Ａと側板１２Ａとを有する。この第２実施形態の載置ユニット１Ａは、以下に説明する、この載置部材１０Ａと、後に説明する、支持部材２０Ａのみ、前述の第１実施形態の載置ユニット１と異なる。
【００３６】
図５，図６には、前述の第１実施形態との相違点の１つとして、中心のねじ穴１２１（図８参照）を中心とした円弧上に２つの長穴１２２Ａ，１２２Ａ´が形成されている。また、それら２つの長穴１２２Ａ，１２２Ａ´のうちの一方の長穴１２２Ａは、天板１１Ａの表側と裏側とに跨って延びる長穴である。
【００３７】
図７は、側板の内側を示した部分斜視図である。また図８は、側板の内側の部分の拡大斜視図である。図７は、留具４１，４２により立設板４３２に支持された状態を示しており、図８は、それらの留具４１，４２を取り外した状態を示している。
【００３８】
側板１２Ａは、天板１１Ａの側面にネジ止めされた、円形の第１の板１２８Ａと、その円形の第１の板１２８Ａの内側に張り付けられた２枚の第２の板１２９Ａとを有する。これら２枚の第２の板１２９Ａのうちの１枚は天板１１Ａの表面側において第１の板１２８Ａに貼り付けられ、もう１枚は天板１１Ａの裏面側において第１の板１２８Ａに貼り付けられている。これら２枚の第２の板１２９Ａは、いずれも、天板１１Ａの側面と同一厚さを有し、天板１１Ａの側面の内側の面と同一平面を形成している。
【００３９】
支持部材２０Ａは、前述の第１実施形態と同じアーム２１（図４参照）と、ヒンジ部材３０のねじ止めに必要な部分のみ残して短く切断された形状の支持バー２２Ａを有する。ただし、図７，図８に示す第２実施形態におけるアーム２１は、図４に示す第１実施形態のアーム２１と比べ天板１１の側面の厚み方向にその厚み分だけずれた位置に取り付けられている。このアーム２１は、側板１２Ａを構成する第２の板１２９Ａの内側の面に接触している。
【００４０】
また、天板１１Ａには、支持部材２０Ａが通過することのできる開口１１３Ａが形成されている。
【００４１】
本実施形態では、天板１１Ａの表側と裏側との双方に広がる側板１２Ａが設けられ、中心のねじ穴１２１（図８参照）を中心とした２つの長穴１２２Ａ，１２２Ａ´が形成されている。また本実施形態では、開口１１３Ａが形成されている。さらに本実施形態では側板１２Ａが第２の板１２９Ａを有している。本実施形態では、これらの点により、天板１１Ａの表面と裏面のいずれをも上に向けた姿勢とすることができる構造となっている。また、本実施形態では、側板１２Ａの２つの長穴１２２Ａ，１２２Ａ´のうちの一方の長穴１２２Ａは、天板１１Ａの表側と裏側とに跨って延びている。このため、留具４２を長穴１２２Ａに差し込んだまま、天板１１Ａの姿勢を、図５に示す表面を上向きにした姿勢と、図６に示す裏面を上向きにした姿勢との間で変更することができる。このため、天板１１Ａの表面と裏面の形状を、例えば表面にキーボードを、裏面にはタブレットなど、載せるものに適した形状にすることにより、この載置ユニットの用途を広げることができる。  
【００４２】
尚、この第２実施形態では、天板１１Ａを裏返すことができるよう天板１１Ａに開口１１３Ａを形成している。ただし、天板１１Ａに対する側板１２Ａの中心のねじ穴１２１の位置やヒンジ部材３０の取付位置の工夫により、すなわち、左右の側板１２Ａのねじ穴１２１どうしを結ぶ線と天板１１とを離すことにより、開口１１３Ａを不要とすることも可能である。
【００４３】
この第２実施形態では、側板１２Ａを、天板１１Ａの側面にネジ止めされた第１の板１２８Ａとその第１の板１２８Ａの内側の面に張り付けられた第２の板１２９Ａとで構成しているが、その構造に代えて、側板１２Ａを、天板１１Ａの側面と一体的に同一面に形成してもよい。
【００４４】
次に、この載置ユニットの使用例を説明する。
【００４５】
図９は、天板拡張部品を用いた使用例を示した図である。ここでは各部材は略した図形で示してある。
【００４６】
図９（Ａ）は、図１と同様の天板５１を示しており、図９（Ｂ）は、天板拡張部品５２を示している。天板拡張部品５２は、図９（Ｃ）に示すように天板５１に嵌め込まれそのその天板５１に下方からネジ止めされる。
【００４７】
図９（Ｄ）には、基台５３とその基台５３の上に乗ったスタンド５４が天板５１の両側に配置されている。
【００４８】
このスタンド５４は、図１に示すスタンド４０を略図で示したものである。
【００４９】
このように、天板５１に天板拡張部品５２を固定して面積を広げ、寸法の大きなノートＰＣ等を載置することもできる。
【００５０】
図１０は、載置ユニットを２段構成にした例を示した図である。
【００５１】
ここでは、図９（Ｄ）に示す構成に加え、さらに天板拡張部品５２の上にさらに、一対のスタンド５４Ａが配置され、それらのスタンド５４Ａに小型の天板５５が固定されている。
【００５２】
図１１は、図１０に示す２段構成の載置スタンドの使用例を示した図である。
【００５３】
図１１（Ａ）では、基台５３上および天板５１（天板拡張部品５２を含む）の上に書類６０が置かれ、小型の天板５５上にキーボードが置かれている。
【００５４】
図１１（Ｂ）では、スタンド５４Ａおよび小型の天板５５は、天板５１上の手前側に配置され、基台５３上には書類６０が置かれ、天板５１（天板拡張部品５２を含む）の上にはノートＰＣ６２が置かれ、小型の天板５５の上にキーボード６１が置かれている。
【００５５】
これらの例に示すように本件の載置ユニットは、複数段に構成するなど、幅広い使用法が可能である。
【００５６】
以下、本件の各種形態を付記する。
【００５７】
（付記１）
機器の載置を受ける載置部材と、
前記載置部材の回動を支持する支持部材と、
前記載置部材を前記支持部材に対し回動自在に、該載置部材と該支持部材とを繋ぐヒンジ部材と、
前記載置部材の回動中心を回動自在に支持する第１の支持部と、該載置部材と前記支持部材を回動不能に支持する第２の支持部とを有する支持機構とを具備することを特徴とする載置ユニット。
【００５８】
（付記２）
前記ヒンジ部材が、前記載置部材を前記支持部材に対する任意の回動姿勢にフリクションで支持する部材であることを特徴とする付記１記載の載置ユニット。
【００５９】
（付記３）
前記載置部材が、機器の載置を受ける天板を有し、
前記第２の支持部が、前記天板の第１面が第２面よりも上方を向いた第１の姿勢において該載置部材と前記支持部材を回動不能かつ支持解除自在に支持し、かつ該載置部材を、該第１の姿勢から、前記第２面が前記第１面よりも上方を向いた第２の姿勢にまで回動させたときの該第２の姿勢においても該載置部材と前記支持部材を回動不能かつ支持解除自在に支持するものであることを特徴とする付記１又は２記載の載置ユニット。
【００６０】
（付記４）
前記載置部材が、機器の載置を受ける天板と左右一対の側板とを有し、該左右一対の側板それぞれが、互いに同一の一本の軸上に形成された第１の穴と、該第１の穴を中心にした円弧状の長穴に形成され、又は該円弧上に配列された第２の穴とを有する部材であり、
前記支持部材が、前記左右一対の側板それぞれの内側に配置され前記第２の穴と連通する第３の穴が形成された部材であり、
前記ヒンジ部材が、前記載置部材を前記支持部材に対し前記一本の水平軸の回りに回動自在に該載置部材と該支持部材とを繋ぐ部材であって、
前記支持機構が、
前記左右一対の側板それぞれの外側に立設する立設部材と、
前記立設部材に支持され前記第１の穴に挿入されることにより、前記載置部材を回動自在に前記立設部材に支持させる第１の留具と、
前記立設部材に支持され前記第２の穴と前記第３の穴との双方に挿入されることにより、前記載置部材および前記支持部材を回動不能に前記立設部材に支持させる第２の留具とを有することを特徴とする付記１から３のうちいずれか１項記載の載置ユニット。
【００６１】
（付記５）
前記立設部材が、前記第１の穴と前記第２の穴との間の距離の整数分の１のピッチであって順次異なる高さ位置に形成され前記第１の留具と前記第２の留具のいずれをも支持可能な複数の突部を有し、
前記第１の留具および前記第２の留具が、前記複数の突部のうち、互いに前記距離だけ離れた任意の２つの突部にそれぞれ支持されるものであることを特徴とする付記４記載の載置ユニット。
【００６２】
（付記６）
前記複数の突部それぞれが前方に延びさらに上方に曲がった鉤形状を有し、該複数の突部が、上下方向かつ上方ほど後方に下がった各位置に配列されていることを特徴とする付記５記載の載置ユニット。
【００６３】
（付記７）
前記天板の第１面が第２面よりも上方を向いた第１の姿勢において前記第２の穴が前記第３の穴に連通し、前記載置部材を、該第１の姿勢から、前記第２面が前記第１面よりも上方を向いた第２の姿勢に回動させても前記第２の穴が前記第３の穴に連通するように、前記第２の穴が、前記第１の穴を円弧状に取り巻く長穴に形成され、又は該第１の穴を取り巻く円弧上に配列されていることを特徴とする付記４から６のうちいずれか１項記載の載置ユニット。
【００６４】
（付記８）
機器の載置を受ける天板と左右一対の側板とを有し、該左右一対の側板それぞれが、互いに同一の一本の軸上に形成された第１の穴と、該第１の穴を中心にした円弧状の長穴に形成され、又は該円弧上に配列された第２の穴とを有する載置部材と、
前記左右一対の側板それぞれの内側に配置され前記第２の穴と連通する第３の穴が形成された支持部材と、
前記載置部材を前記支持部材に対し前記一本の水平軸の回りに回動自在に該載置部材と該支持部材とを繋ぐヒンジ部材と、
前記左右一対の側板それぞれの外側に立設する立設部材と、
前記立設部材に支持され前記第１の穴に挿入されることにより、前記載置部材を回動自在に前記立設部材に支持させる第１の留具と、
前記立設部材に支持され前記第２の穴と前記第３の穴との双方に挿入されることにより、前記載置部材および前記支持部材を回動不能に前記立設部材に支持させる第２の留具とを有することを特徴とする載置ユニット。
【００６５】
（付記９）
前記ヒンジ部材が、前記載置部材を前記支持部材に対する任意の回動姿勢にフリクションで支持する部材であることを特徴とする付記８記載の載置ユニット。
【００６６】
（付記１０）
前記立設部材が、前記第１の穴と前記第２の穴との間の距離の整数分の１のピッチであって順次異なる高さ位置に形成され前記第１の留具と前記第２の留具のいずれをも支持可能な複数の突部を有し、
前記第１の留具および前記第２の留具が、前記複数の突部のうち、互いに前記距離だけ離れた任意の２つの突部にそれぞれ支持されるものであることを特徴とする付記８又は９記載の載置ユニット。
【００６７】
（付記１１）
前記複数の突部それぞれが前方に延びさらに上方に曲がった鉤形状を有し、該複数の突部が、上下方向かつ上方ほど後方に下がった各位置に配列されていることを特徴とする付記１０記載の載置ユニット。
【００６８】
（付記１２）
前記天板の第１面が第２面よりも上方を向いた第１の姿勢において前記第２の穴が前記第３の穴に連通し、前記載置部材を、該第１の姿勢から、前記第２面が前記第１面よりも上方を向いた第２の姿勢に回動させても前記第２の穴が前記第３の穴に連通するように、前記第２の穴が、前記第１の穴を円弧状に取り巻く長穴に形成され、又は該第１の穴を取り巻く円弧上に配列されていることを特徴とする付記８から１１のうちいずれか１項記載の載置ユニット。
【符号の説明】
【００６９】
１，１Ａ    載置ユニット
１０，１０Ａ    載置部材
１１，１１Ａ，５１，５５    天板
１２，１２Ａ    側板
１２ａ    内側の面
２０，２０Ａ    支持部材
２１    アーム
２２，２２Ａ    支持バー
３０    ヒンジ部材
３１    回転軸
３２    軸受け
４０    支持機構
４１，４２    留具
４３，５４，５４Ａ    スタンド
５２    天板拡張部品
５３    基台
６０    書類
６１    キーボード
６２    ノートＰＣ
１１１    段差
１１２    穴
１１３Ａ    開口
１２１，２１１    ねじ穴
１２２，１２２Ａ，１２２Ａ’    長穴
１２８Ａ    第１の板
１２９Ａ    第２の板
４２１    つまみ
４３１    基台
４３２    立設板
４３３    支持部
４３４    突部
【図１】
2012164105.tif 000003
【図２】
2012164105.tif 000004
【図３】
2012164105.tif 000005
【図４】
2012164105.tif 000006
【図５】
2012164105.tif 000007
【図６】
2012164105.tif 000008
【図７】
2012164105.tif 000009
【図８】
2012164105.tif 000010
【図９】
2012164105.tif 000011
【図１０】
2012164105.tif 000012
【図１１】
2012164105.tif 000013